(57)【特許請求の範囲】
【請求項１】
ディスクに記録中に位置をマークし、後の検索のために、上記ディスクの予め設定された所定領域に、上記位置を書き込むようにするディスク記録装置であって、
記録中に所定のキーが操作された時点の、上記ディスク上の情報位置に対応するアドレスを第１アドレスとして識別する手段と、
上記第１アドレスに対して遡及時間によって関係付けられる第２アドレスを識別し、この識別された第２アドレスを上記ディスクの予め設定された所定領域に書き込む手段と、
上記遡及時間を設定する手段と、
を備えることを特徴とするディスク記録装置。
【請求項２】
上記遡及時間が任意に設定可能であることを特徴とする請求項１に記載のディスク記録装置。
【請求項３】
アドレスデータが予め記録されている光磁気ディスクを用いると共に、記録データに関する情報が上記光磁気ディスクの予め設定された所定領域に記録されるディスク記録装置において、
マーカキーと、
記録動作中に上記マーカキーが操作された位置に応じた上記光磁気ディスク上のアドレスを、上記所定領域に書き込む手段と、
上記光磁気ディスク上のマーカポイントから、実質的にオフセット無しに、データ検索のための位置情報を生成する手段と、
上記位置情報に基づいて、上記マーカポイントを検索するために上記所定領域の上記アドレスを読み取る手段と、
を備えるディスク記録装置。
【請求項４】
請求項３に記載のディスク記録装置において、
上記マーカキーの操作時点に応じたアドレスが一時メモリに保持され、記録処理が終了した後、上記所定領域に上記一時メモリに保持されたアドレスが書き込まれることを特徴とするディスク記録装置。
【発明の詳細な説明】
【０００１】
【発明の属する技術分野】
この発明は、ディスク記録装置に関する。
【０００２】
【従来の技術】
従来、テープレコーダで、例えば、講演の録音をしながら、途中のここぞと思うポイントで、所定のキーを操作することにより、可聴帯域外の、あるいは音声の聞き取りに支障とならない低周波数のマーカ（キュー信号）をテープに記録するようにしたものが知られている。
【０００３】
この低周波数のマーカが記録されたテープを高速再生すると、再生されたマーカの周波数が可聴帯域内になり、これを手がかりとして、録音内容のポイントを検索することができて、テープの編集などに便利である。
【０００４】
【発明が解決しようとする課題】
ところが、記録媒体として、テープを使用するときは、上記マーカを記録したポイントをサーチするために、テープ早送りや巻き戻しを行わなければならず、マーカポイントを見付け出すのに時間がかかるという基本的な問題があった。
【０００５】
また、前述のような従来のテープレコーダでは、使用者が、例えば講演を聴きながら、そのポイントであると判断してから、マーカキーを操作するので、内容判断のための時間だけキー操作が遅くなり、必然的に、テープ上のマーカ位置が希望するポイントの録音始点よりも下流側にずれてしまう。
【０００６】
また、誤ってマーカキーに触れた場合でも、マーカがテープに記録されてしまい、ポイント検索の妨げになるという問題があった。
【０００７】
この発明は、以上の点にかんがみ、記録媒体としてディスクを使用し、マーカポイントのサーチが容易に行え、しかも、希望するマーカポイントと実質的にずれがない、検索用の位置情報を生成することができるディスク記録装置を提供することを目的とする。
【０００８】
【課題を解決するための手段】
上記課題を解決するため、この発明によるディスク装置は、
ディスクに記録中に位置をマークし、後の検索のために、上記ディスクの予め設定された所定領域に、上記位置を書き込むようにするディスク記録装置であって、
記録中に所定のキーが操作された時点の、上記ディスク上の情報位置に対応するアドレスを第１アドレスとして識別する手段と、
上記第１アドレスに対して遡及時間によって関係付けられる第２アドレスを識別し、この識別された第２アドレスを上記ディスクの予め設定された所定領域に書き込む手段と、
上記遡及時間を設定する手段と、
を備えることを特徴とする。
【０００９】
上記の構成によれば、記録動作中に所定のキーが操作された時点で、このキー操作に対応するディスク上の位置情報が生成されて、その位置情報であるアドレスがディスク上の所定領域に書き込まれる。再生時には、この位置情報に基づいて、ディスク上の所望のマーカポイントが速やかに検出される。
【００１０】
【発明の実施の形態】
以下、図１、図２及び図３を参照しながら、この発明によるディスク記録装置の実施の形態を、音声データ圧縮伸長型の光磁気ディスク記録再生装置に適用した場合について説明する。
【００１１】
この発明の一実施例の構成を図３に示す。
図３において、１は光ディスクであって、この例の場合、光磁気記録膜を持った記録再生、消去が可能な書換形の光磁気ディスクが用いられる。
【００１２】
ディスク１の外径は６４ｍｍで、このディスク１には、例えば１．６μｍのピッチでスパイラル状に記録トラックが形成される。ディスク１は、一定の線速度、例えば１．２〜１．４ｍ／ｓで回転される。そして、ディスク１には、オーディオ情報がデジタル信号とされ、かつ、圧縮されて記録されることにより、対象となる情報が１３０Ｍバイト以上記録再生可能である。
【００１３】
また、ディスク１には、予め、光スポット制御用（トラッキング制御用）のプリグルーブが形成されているが、特に、この例の場合には、このプリグルーブにトラッキング用のウォブリング信号に重畳して絶対番地コードが記録されている。なお、ディスク１は防塵及び傷付着防止のため、ディスクカートリッジ２内に収納されている。
【００１４】
また、ディスク１には、その最内周のトラック位置に、記録されているオーディオデータに関する情報が記録されている。これは、一般にＴＯＣ（Ｔａｂｌｅ  ｏｆ  ｃｏｎｔｅｎｔ）と呼ばれ、記録されている曲数、各曲の記録位置に関する情報、各曲の演奏時間などが含まれている。
【００１５】
［記録再生装置の記録系］
図３の記録再生装置は、ＩＣ化によりできるだけ構成を簡略化できるように工夫されている。先ず、光磁気ディスクへの記録時について説明する。なお、記録時と再生時とでは、システム制御回路（マイクロコンピュータ）２０からのモード切換信号Ｒ／Ｐにより、各回路部がモード切り換えされるように構成されている。
【００１６】
システム制御回路２０には、録音キーＫｒ，再生キーＫｐ，停止キーＫｓ，マーカキーＫｍ‥‥など、複数の操作キーを備えるキー操作部４１が接続されており、これらのキーの操作により動作モードが指定される。
【００１７】
また、この実施例では、システム制御回路２０に、ＴＯＣメモリ２０ｍが接続されて、後述のように、記録データに関する位置情報や、時間情報などを含むＴＯＣデータが一時的に蓄えられる。
【００１８】
なお、このメモリ２０ｍは、マイクロコンピュータ内のＲＡＭ上に設定することもできるし、後述のバッファメモリ２５上に設定しても良い。
【００１９】
１対の入力端子２１ＬＴ，２１ＲＴを通じた２チャンネルのアナログオーディオ信号は、Ａ−Ｄ変換器２２において、サンプリング周波数４４．１ｋＨｚでサンプリングされ、各サンプリング値が１６ビットのデジタル信号に変換される。この１６ビットのデジタル信号は、データ圧縮回路２３Ｒに供給され、この例の場合には、入力デジタルデータが例えば１／５にデータ圧縮される。このデータ圧縮の方法としては種々用いることができるが、例えば量子化数４ビットのＡＤＰＣＭ（Ａｄａｐｔｉｖｅ  Ｄｅｌｔａ  Ｐｕｌｓｅ  Ｃｏｄｅ  Ｍｏｄｕｌａｔｉｏｎ）  が使用される。
【００２０】
また、例えば、入力デジタルデータを高域ほど帯域幅が広くなるように複数の帯域に分割し、分割された各帯域毎に複数のサンプル（サンプル数は各帯域で同数とする方が良い）からなるブロックを形成し、各帯域のブロックごとに直交変換を行ない、係数データを得、この係数データに基づいて各ブロックごとのビット割り当てを行なうようにする方法を用いることもできる。この場合のデータ圧縮方法は、音に対する人間の聴感特性を考慮しており、高能率でデータ圧縮ができる（特願平１−２７８２０７号参照）。
【００２１】
こうしてＡ−Ｄ変換器２２からのデジタルデータＤＡは、圧縮回路２３Ｒにおける処理により１／５にデータ圧縮され、このデータ圧縮されたデータｄａは、メモリ制御回路２４により制御されるバッファメモリ２５に転送される。この例の場合には、バッファメモリ２５は、１Ｍビットの容量を有するＤ−ＲＡＭが用いられている。
【００２２】
メモリ制御回路２４は、記録中に振動等によりディスク１上の記録位置が飛んでしまうトラックジャンプが生じなければ、バッファメモリ２５から圧縮データｄａを書き込み速度の約５倍の転送速度で順次読み出し、読み出したデータを、データエンコード回路２６Ｒに転送する。
【００２３】
また、記録中にトラックジャンプが生じたことを検出したときは、エンコード回路２６Ｒへのデータ転送を停止し、処理回路２３Ｒからの圧縮データｄａをバッファメモリ２５に蓄積する。そして、記録位置が修正されたとき、バッファメモリ２５からエンコード回路２６Ｒへのデータ転送を再開するようにする制御を行う。
【００２４】
トラックジャンプが生じたか否かの検出は、例えば振動計を装置に設け、振動の大きさがトラックジャンプが生じるようなものであるか否かを検出することにより行うことができる。また、この例のディスク１には、前述したように、プリグルーブを形成する際に、トラッキング制御用のウォブリング信号に重畳して絶対番地コードが記録されている。そこで、このプリグルーブからの絶対番地コードを記録時に読取り、そのデコード出力からトラックジャンプを検出するようにすることもできる。また、振動計と絶対番地コードのオアを取ってトラックジャンプを検出するようにしても良い。なお、トラックジャンプが生じたときには、光磁気記録のためのレーザ光のパワーを下げる、あるいはパワーを零とするようにしておくものである。
【００２５】
そして、トラックジャンプが生じたときの記録位置の修正は、前記の絶対番地コードを用いて行うことができる。また、この場合のバッファメモリ２５のデータ容量としては、上述から理解されるように、トラックジャンプが生じてから記録位置が正しく修正されるまでの間の時間分に相当する圧縮データｄａを蓄積できる容量が最低必要である。この例では、バッファメモリ２５の容量としては、前記のように１Ｍビット有し、この容量は前記の条件を十分に満足するように余裕を持ったものとして選定されているものである。
【００２６】
また、この場合、メモリ制御回路２４は、この記録時において、正常動作時は、できるだけバッファメモリ２５に蓄積されるデータが少なくなるようにメモリ制御を行う。例えば、バッファメモリ２５のデータ量が予め定められた所定量以上になったら、所定量のデータ、例えば３２セクタ分（１セクタは１ＣＤ−ＲＯＭセクタ（約２Ｋバイト））のデータだけバッファメモリ２５から読み出して、常に所定データ量以上の書込み空間を確保しておくようにメモリ制御を行う。
【００２７】
データエンコード回路２６Ｒは、バッファメモリ２５から転送されてきた圧縮データｄａをＣＤ−ＲＯＭのセクタ構造のデータにエンコードする。なお、３２セクタ分のオーディオデータを含むデータを以下クラスタと称する。
【００２８】
このデータエンコード回路２６Ｒの出力データ（クラスタ単位のデータ）は、記録エンコード回路２７に供給される。この記録エンコード回路２７では、データにエラー検出訂正用の符号化処理を行うと共に、記録に適した変調処理、この例ではＥＦＭ符号化処理などを施す。エラー検出訂正用の符号は、この例ではＣＤのＣＩＲＣ（クロスインターリーブ・リード・ソロモン符号）に対してインターリーブを変更したものを用いる。記録データがクラスタ単位の間欠的なデータであるので、３２セクタのクラスタデータの前後に、クラスタ接続用の複数個のリンキングセクタが付加される。
【００２９】
この記録エンコード回路２７からの符号化処理の施されたデータは、磁気ヘッド駆動回路２８を介して磁気ヘッド２９に供給される。磁気ヘッド駆動回路２８は、記録データに応じた変調磁界をディスク１（光磁気ディスク）に印加するように磁気ヘッド２９を駆動する。このヘッド２９に供給される記録データは、クラスタ単位であり、記録は間欠的に行われる。
【００３０】
ディスク１はカートリッジ２に収納されているが、装置に装填されることにより、シャッタ板が開けられて、シャッタ開口からディスク１が露呈する。そして、スピンドル挿入用開口にディスク駆動モータ３０Ｍの回転軸が挿入連結されて、ディスク１が回転駆動される。この場合、ディスク駆動モータ３０Ｍは、後述するサーボ制御回路３２により、線速度１．２〜１．４ｍ／ｓでディスク１を回転駆動するように回転速度制御がなされる。
【００３１】
磁気ヘッド２９は、前記カートリッジ２のシャッタ開口から露呈するディスク１に対向している。また、ディスク１の磁気ヘッドに対向する面とは反対側の面と対向する位置には、光学ヘッド３０が設けられている。この光学ヘッド３０は、例えばレーザダイオード等のレーザ光源、コリメータレンズ、対物レンズ、偏光ビームスプリッタ、円筒レンズなどの光学部品及び光検出器などから構成されており、この記録時は、記録トラックには、再生時より大きな一定のパワーのレーザ光が照射されている。この光照射と、磁気ヘッド２９による変調磁界とにより、ディスク１には熱磁気記録によってデータが記録される。そして、磁気ヘッド２９と光学ヘッド３０とは、共にディスク１の半径方向に沿って移動できるように構成されている。
【００３２】
なお、この記録時において、光学ヘッド３０の出力がＲＦ信号処理回路３１を介して絶対番地デコード回路３４に供給されて、ディスク１のプリグルーブからの絶対番地コードが抽出されると共に、デコードされる。そして、そのデコードされた絶対番地情報が記録エンコード回路２７に供給されて、記録データ中に絶対番地情報として挿入されて、ディスクに記録される。絶対番地デコード回路３４からの絶対番地情報は、また、システム制御回路２０に供給され、前述したように、記録位置の認識及び位置制御に用いられる。
【００３３】
また、ＲＦ信号処理回路３１からの信号がサーボ制御回路３２に供給され、ディスク１のプリグルーブからの信号からモータ３０Ｍの線速度一定サーボのための制御信号が形成され、モータ３０Ｍが速度制御される。
【００３４】
［記録再生装置の再生系］
装置に装填されたディスクは、ディスク駆動モータ３０Ｍにより回転駆動される。そして、記録時と同様にして、このディスク駆動モータ３０Ｍは、サーボ制御回路３２により、プリグルーブからの信号により、ディスク１が記録時と同じ速度、すなわち線速度１．２〜１．４ｍ／ｓで、一定となるように回転速度制御される。
【００３５】
再生時、光学ヘッド３０は、目的トラックに照射したレーザ光の反射光を検出することにより、例えば非点収差法によりフォーカスエラーを検出し、また、例えばプッシュプル法によりトラッキングエラーを検出すると共に、目的トラックからの反射光の偏光角（カー回転角）の違いを検出して、再生ＲＦ信号を出力する。
【００３６】
光学ヘッド３０の出力は、ＲＦ信号処理回路３１に供給される。ＲＦ信号処理回路３１は、光学ヘッド３０の出力からフォーカスエラー信号やトラッキングエラー信号を抽出してサーボ制御回路３２に供給すると共に、再生信号を２値化して再生デコード回路３３に供給する。
【００３７】
サーボ制御回路３２は、前記フォーカスエラー信号が零になるように、光学ヘッド３０の光学系のフォーカス制御を行うと共に、トラッキングエラー信号が零になるように、光学ヘッド３０の光学系のトラッキング制御を行う。
【００３８】
また、ＲＦ信号処理回路３１はプリプルーブからの絶対番地コードを抽出して絶対番地デコード回路３４に供給する。そして、システム制御回路２０に、このデコード回路３４からの絶対番地情報が供給され、サーボ制御回路３２による光学ヘッド３０のディスク半径方向の再生位置制御のために使用される。また、システム制御回路２０は、再生データ中から抽出されるセクタ単位のアドレス情報も、光学ヘッド３０が走査している記録トラック上の位置を管理するために用いることができる。
【００３９】
この再生時、後述するように、ディスク１から読み出された圧縮データはバッファメモリ２５に書き込まれ、読み出されて伸長されるが、両データの伝送レートの違いから、ディスク１からの光学ヘッド３０によるデータ読み出しは、例えばバッファメモリに蓄えられるデータが所定量以下にならないように間欠的に行われる。
【００４０】
ディスク１から読み出されたデータは、ＲＦ信号処理回路３１を介して再生デコード回路３３に供給される。再生デコード回路３３は、ＲＦ信号処理回路３１からの２値化再生信号を受けて、記録エンコード回路２７に対応した処理、すなわち、ＥＦＭ復号化処理、エラー検出訂正のための復号化処理や補間処理などを行う。この再生デコード回路３３の出力データは、データデコード回路２６Ｐに供給される。
【００４１】
このデータデコード回路２６Ｐは、ＣＤ−ＲＯＭのセクタ構造のデータを圧縮された状態の元データにデコードする。
【００４２】
このデータデコード回路２６Ｐの出力データは、トラックジャンプメモリ制御回路２４により制御されるバッファメモリ２５に転送され、所定の書き込み速度で書き込まれる。
【００４３】
そして、この再生時においては、メモリ制御回路２４は、再生中に振動等により再生位置が飛んでしまうトラックジャンプが生じなければ、データデコード回路２６Ｐからの圧縮された状態のデータを書き込み速度の約１／５倍の転送速度で順次読み出し、読み出したデータを、データ伸長処理回路２３Ｐに転送する。この場合、メモリ制御回路２４は、バッファメモリ２５に蓄えられているデータ量が、所定以下にならないようにバッファメモリ２５の書き込み／読み出しを制御する。
【００４４】
また、再生中にトラックジャンプが生じたことを検出したときは、データデコード回路２６Ｐからバッファメモリ２５へのデータの書き込みを停止し、データ伸長処理回路２３Ｐへのデータの転送のみを行う。そして、再生位置が修正されたとき、データデコード回路２６Ｐからバッファメモリ２５へのデータ書き込みを再開するようにする制御を行う。
【００４５】
トラックジャンプが生じたか否かの検出は、記録時と同様に、例えば振動計を用いる方法及び光ディスクのプリグルーブにトラッキング制御用のウォブリング信号に重畳して記録されている絶対番地コードを用いる方法（つまり、絶対番地デコード回路３４のデコード出力を用いる方法）、あるいは、振動計と絶対番地コードのオアを取ってトラックジャンプを検出する方法を用いることができる。さらには、この再生時には、前述したように再生データ中から絶対番地情報及びセクタ単位のアドレス情報が抽出されるのでこれを用いることもできる。
【００４６】
この再生時の場合のバッファメモリ２５のデータ容量としては、上述から理解されるように、トラックジャンプが生じてから再生位置が正しく修正されるまでの間の時間分に相当するデータを常に蓄積できる容量が最低必要である。何故なら、それだけの容量があれば、トラックジャンプが生じても、バッファメモリ２５からデータ伸長回路２３Ｐにデータを転送し続けることができるからである。この例のバッファメモリ２５の容量としての１Ｍビットは、前記の条件を十分に満足するように余裕を持った容量として選定されている。
【００４７】
また、前述もしたように、メモリ制御回路２４は、正常動作時は、できるだけバッファメモリ２５に前記必要最小限以上の所定データが蓄積されるようにメモリ制御を行う。この場合、例えば、バッファメモリ２５のデータ量が予め定められた所定量以下になったら、光学ヘッド３０によりディスク１からのデータの間欠的な取り込みを行って、データデコード回路２６Ｐからのデータの書き込みを行い、常に所定データ量以上の読み出し空間を確保しておくようにメモリ制御を行う。
【００４８】
データ伸長処理回路２３Ｐでは、ＡＤＰＣＭデータを、記録時のデータ圧縮処理とは逆に、約５倍に伸長する。このデータ伸長回路２３Ｐからのデジタルオーディオデータは、Ｄ−Ａ変換器３５に供給され、２チャンネルのアナログオーディオ信号に戻され、１対の出力端子３６ＬＴ，３６ＲＴから出力される。
【００４９】
［記録系のマーカ記録動作］
通常、例えば複数の曲を記録する場合に、曲ごとに記録を行うときには、各曲の記録開始時に、トラックナンバーが設定されると共に、その記録開始位置のディスク上の前記絶対番地がＴＯＣデータとして、それぞれ記録される。この場合には、トラックナンバーは、順次、更新される。また、複数の曲を１回の記録で、記録する場合には、曲と曲との間の無音区間などを検出して、自動的にトラックナンバーを曲の頭で更新し、その位置のディスク上の絶対番地がＴＯＣデータとして記録される。
【００５０】
上記のように、通常は、記録開始時や、曲間の無音区間を検出して、曲の頭の位置で、トラックナンバーが更新され、このトラックナンバーがＴＯＣに記録されているので、再生時、このＴＯＣのトラックナンバーを指標として、いわゆる頭出しなどを行うようにする。しかし、曲の途中や、希望する位置を頭出しのポイントとして設定することは、従来、行われていない。
【００５１】
この例においては、上記のＴＯＣデータに加えて、記録動作中にマーカキーＫｍを操作すると、その操作時点の記録位置（ディスク１上の絶対アドレス、以下同じ）、あるいはそれより以前の記録位置を、マーカ打ち込みポイントとしてディスク１のＴＯＣエリアに記録するようにする。そして、その操作時点位置で、トラックナンバーを更新するようにする。
【００５２】
次に、図１及びその続きである図２のフローチャートを参照しながら、この発明の一実施例のマーカ記録動作について説明する。
【００５３】
先ず、録音に先立って、ＴＯＣメモリ２０ｍには、マーカキーＫｍの任意の操作時点ｔｏ  のディスク１上のアドレスを記憶するか、あるいは、操作時点ｔｏ  からΔＴ時間だけ前の遡及時点ｔｂ  （＝ｔｏ  −ΔＴ）のアドレスを記憶するかが、録音対象に応じて設定される（ステップＳ１）。
【００５４】
この遡及時間ΔＴは、この例では任意に設定することができる。前述のように、例えば、講演の録音をする場合は、この遡及時間ΔＴは、例えば１〜２秒程度とされる。また、例えば音楽などのように、その内容が予め判っているものを録音する場合は、例えば曲の間にマーカキーを操作すればよいので、遡及時間ΔＴ＝０として、マーカキーＫｍの操作時点ｔ０  を記憶することができる。
【００５５】
次に、ステップＳ２において、キー操作部４１でのキー操作入力を待つ。キー操作入力があればステップＳ２からステップＳ３に進み、操作されたキーが記録キーＫｒであるか否か判別され、操作されたキーが記録キーＫｒでなければ、操作キーに応じた処理ルーチンに進む。操作されたキーが記録キーＫｒであれば、装置は録音待機状態となる（ステップＳ４）。
【００５６】
次に、ステップＳ５において、キー操作部４１でのキー操作入力を待ち、キー操作入力があればステップＳ５からステップＳ６に進み、操作されたキーがスタート（再生）キーＫｐであるか否か判別される。そして、操作されたキーが再生キーＫｐでなければ、操作キーに応じた処理ルーチンに進み、操作されたキーが再生キーＫｐであれば、録音が開始され、通常のように、対象とする音声の録音始点のアドレスがメモリ２０ｍに記憶される（ステップＳ７）。
【００５７】
この実施の形態では、録音動作中は、装置がキー操作部４１のキー操作待ちの状態となり（ステップＳ８）、キー操作があれば、そのキー操作がマーカキーＫｍの操作か否か判別される（ステップＳ９）。キー操作がマーカキーＫｍの操作であれば、ステップＳ９からステップＳ１０に進み、操作時点ｔ０  のアドレスがＴＯＣ用メモリ２０ｍに記憶される。
【００５８】
ステップＳ１０の後はステップＳ１１に進む。このステップＳ１１においては、例えば１〜２秒の所定時間Ｔｃにわたり、マーカキーＫｍが継続して操作されたか否かが判断される。
【００５９】
継続操作時間がＴｃに満たない場合は、マーカキーＫｍの誤操作とみなされて、ステップＳ１１からステップＳ１２に進み、上述のステップＳ１０でＴＯＣ用メモリ２０ｍに記憶されたキー操作時点ｔ０  のアドレスが消去される。ステップＳ１２の後は、ステップＳ８に戻る。
【００６０】
一方、マーカキーＫｍの継続操作時間がＴｃ以上の場合には、ステップＳ１１からステップＳ１３に進み、マーカポイントのアドレスが演算される。すなわち、上述のステップＳ１で録音対象に応じて設定された条件がΔＴ≠０のときには、マイクロコンピュータ２０により、マーカキーＫｍの操作時点ｔ０  よりΔＴ時間だけ前の遡及時点ｔｂ  が計算されて、その時点ｔｂ  に相当するアドレスが演算される。ΔＴ＝０のときには、マーカキー操作時点ｔ０  のアドレスがそのまま時点ｔｂ  のアドレスとされる。
【００６１】
ステップＳ１３の後はステップＳ１４に進み、ＴＯＣメモリ２０ｍの内容として、トラックナンバーが＋１されて更新され、前記時点ｔｂ  のマーカポイントのアドレスがそのスタートアドレスとして記憶される。すなわち、曲の頭や、記録開始点以外のマーカキーＫｍの操作点においても、トラックナンバーが更新され、そのスタートアドレスが記憶される。
【００６２】
ステップＳ１４の後は、ステップＳ８に戻り、上述のようなマーカキーＫｍの操作による、ステップＳ９〜Ｓ１４の一連の動作は、後のステップＳ１６において、停止キーＫｓが操作されるまで、循環的に繰り返される。
【００６３】
そして、ステップＳ９において、マーカキーＫｍの操作ではないと判別されたときには、ステップＳ９からステップ１５に進み、ポーズ（一時停止）キーの操作か否か判別され、ポーズキーの操作であると判別されたときには、ステップＳ４に戻り、録音待機状態になる。
【００６４】
ステップＳ１５でポーズキーの操作でないと判別されたときには、ステップＳ１５からステップＳ１６に進み、操作キーが停止キーＫｓか否か判別される。停止キーＫｓが操作されなかったと判別されたときには、そのキー操作は誤操作として無視され、ステップＳ１６からステップＳ８に戻る。また、停止キーＫｓが操作されたときには、ステップＳ１６からステップＳ１７に進み、録音動作が終了すると共に、メモリ２０ｍに記憶されたマーカポイントの時点ｔｂ  のアドレスを含むＴＯＣデータが、ディスク上のＴＯＣ領域に書き込まれて、装置の記録動作が終了する。
【００６５】
したがって、ディスクの再生時には、上述のようにしてＴＯＣ領域に書き込まれた各アドレスに基づいて、所望のマーカポイントを速やかに検出することができる。
【００６６】
なお、上述の実施例では、マーカキーＫｍを独立に設けたが、これを独立に設けずに、他の操作キー、例えば、録音キーＫｒをマーカキーＫｍに兼用することもできる。
【００６７】
以上は、この発明を、オーディオデータを圧縮して間欠的に記録再生するディスク装置に適用した場合であるが、この発明は、ディスク上にアドレスデータが予め記録され、また、特定のエリアにＴＯＣやディレクトリなど、記録データに関するデータを記録する仕様のディスク装置であれば、どのようなものでも適用可能である。
【００６８】
なお、ディスク上の絶対アドレスデータとしては、タイムコードを用いることもできる。
【００６９】
【発明の効果】
以上説明したように、この発明によれば、アドレスデータが予め記録されており、所定領域にＴＯＣ（記録データに関する情報）を書き込むようにしたディスクを用いるディスク記録装置において、記録動作中に、所定のキーが操作されたとき、このキー操作時点に対応するディスク上のアドレスをＴＯＣとして所定領域に書き込むようにしたので、ディスク上のマーカ点と実質的にずれがない、検索用の位置情報を生成することができる。
【００７０】
そして、再生時には、このＴＯＣは実際の再生に先立って読み込まれるので、このＴＯＣデータの位置情報に基づいて、所望のマーカ点が速やかに検出されるものである。
【図面の簡単な説明】
【図１】この発明によるディスク記録装置の動作を説明するためのフローチャートの一部を示す図である。
【図２】この発明によるディスク記録装置の動作を説明するためのフローチャートの一部を示す図である。
【図３】この発明の実施の形態の構成例を示すブロック図である。
【符号の説明】
２０…システム制御回路（マイクロコンピュータ）、２０ｍ…ＴＯＣ用メモリ、Ｋｍ…マーカキー、Ｋｒ…録音キー
【図１】
0003606317.tif 000002
【図２】
0003606317.tif 000003
【図３】
0003606317.tif 000004